【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
メディアアセットに関心があるユーザに対して、追付機構の初期化を制限することによる、リソースの効果的利用のための方法であって、
複数のユーザが、同一ユーザ機器からメディアアセットを消費していることを検出することと、
前記複数のユーザの個別のユーザ毎に、個別のユーザが前記メディアアセットに関心があるかどうかを決定することであって、前記個別のユーザが前記メディアアセットに関心があるかどうかを決定することは、
前記個別のユーザの個別のプロファイルのデータと前記メディアアセットのメタデータを比較することと、
前記個別のプロファイルのデータが前記メディアアセットのメタデータに合致することの決定に応答して、前記個別のユーザが前記メディアアセットに関心があることを決定することと、
前記個別のプロファイルのデータが前記メディアアセットのメタデータに合致しないことの決定に応答して、前記個別のユーザが前記メディアアセットに関心がないことを決定することと
によって行われる、ことと、
前記メディアアセットに関心がある各個別のユーザを含む前記複数のユーザの第１のサブセットを識別することと、
前記メディアアセットに関心がない各個別のユーザを含む前記複数のユーザの第２のサブセットを識別することと、
前記複数のユーザのうちのユーザが前記メディアアセットを無視していることを検出することと、
前記ユーザが前記第１のサブセット内で識別されるかまたは前記第２のサブセット内で識別されるかを決定することと、
前記ユーザが前記第１のサブセット内で識別されることの決定に応答して、前記ユーザが前記メディアアセットを無視し始めた時間から始まる前記メディアアセットの一部を記憶することと、
前記ユーザが前記第２のサブセット内にいることの決定に応答して、前記ユーザが前記メディアアセットを無視し始めた時間から始まる前記メディアアセットの一部を記憶することを止めることと
を含む、方法。
【請求項２】
前記ユーザが前記メディアアセットを無視し始めた時間から始まる前記メディアアセットの一部を記憶することは、
複数のアクセス可能ユーザ機器を検出することであって、それぞれ、個別のユーザに対応する、ことと、
前記メディアアセットを無視しているユーザと関連付けられた、前記複数のユーザ機器のうちのユーザ機器を識別することと、
前記メディアアセットの一部を前記識別されたユーザ機器に伝送することと
を含む、請求項１に記載の方法。
【請求項３】
前記識別されたユーザ機器が前記メディアアセットと関連付けられたタイプのメディアを再生可能であるかどうかを決定することと、
前記識別されたユーザ機器が前記メディアアセットと関連付けられた前記タイプのメディアを再生不可能であることの決定に応答して、
前記ユーザのプロファイルに基づいて、前記メディアアセットを記録可能な前記ユーザと関連付けられた別のユーザ機器を識別することと、
前記識別された別のユーザ機器上で、記録するための前記メディアアセットをスケジューリングすることと
をさらに含む、請求項２に記載の方法。
【請求項４】
前記ユーザが前記第２のサブセット内にいることの決定に応答して、
複数のアクセス可能ユーザ機器を検出することと、
前記メディアアセットを無視している前記ユーザと関連付けられた、前記複数のユーザ機器のうちのユーザ機器を識別することと、
表示のために、前記識別されたユーザ機器上に、記録するための前記メディアアセットをスケジューリングするプロンプトを生成することと
をさらに含む、請求項１に記載の方法。
【請求項５】
前記複数のユーザのうちのユーザが前記メディアアセットを無視していることを検出することは、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを決定することと、
前記タイマに基づいて、前記ユーザの眼が前記メディアアセットの方向に向いていない期間が前記閾値を上回ることの決定に応答して、前記ユーザが前記メディアアセットを無視していることを検出することと
を含む、請求項１に記載の方法。
【請求項６】
前記ユーザが前記メディアアセットを無視し始めた時間から始まる前記メディアアセットの一部を記憶することは、
前記ユーザがもはや前記メディアアセットを無視していないことを検出することと、
前記ユーザが閾値期間未満の期間にわたって前記メディアアセットを無視していたかどうかを決定することと、
前記ユーザが前記閾値期間未満の期間にわたって前記メディアアセットを無視していたことの決定に応答して、前記メディアアセットの記憶された部分を削除することと
を含む、請求項１に記載の方法。
【請求項７】
前記ユーザが前記閾値期間を上回る期間にわたって前記メディアアセットを無視していたことの決定に応答して、前記ユーザに前記メディアアセットの一部を削除するかどうかについてプロンプトすることをさらに含む、請求項６に記載の方法。
【請求項８】
前記メディアアセットが視聴覚メディアアセットであることを決定することと、
前記メディアアセットの一部が会話を含有しないことを決定することと、
前記メディアアセットの一部が会話を含有しないことの決定に応答して、表示のために、前記メディアアセットの一部のビデオを増加速度で生成することと
をさらに含む、請求項１に記載の方法。
【請求項９】
メディアアセットに関心があるユーザに対して、追付機構の初期化を制限することによる、リソースの効果的利用のためのシステムであって、前記システムは、請求項１〜８のいずれかに記載の方法を実行するように構成される制御回路を備える、システム。
【請求項１０】
非一過性コンピュータ可読命令を有する非一過性コンピュータ可読媒体であって、前記非一過性コンピュータ可読命令は、メディアアセットに関心があるユーザに対して、追付機構の初期化を制限することによる、リソースの効果的利用を提供するために前記非一過性コンピュータ可読媒体上にエンコードされ、前記非一過性コンピュータ可読命令は、制御回路によって実行されると、請求項１〜８のいずれかに記載の方法を前記制御回路に実施させる、非一過性コンピュータ可読媒体。
【手続補正２】
【補正対象書類名】明細書
【補正対象項目名】００２４
【補正方法】変更
【補正の内容】
【００２４】
いくつかの実施形態では、ユーザがメディアアセット内の現在の時間までより迅速に「追い付き」得るように、メディアアセットの記憶された部分を増加速度で再生することが有用であり得る。メディアガイドアプリケーションは、メディアアセットが、メディアアセットの一部が会話を含有しない、視聴覚メディアアセットであることを決定してもよい。メディアアセットの一部が会話を含有しないことの決定に応答して、メディアガイドアプリケーションは、表示のために、メディアアセットの一部のビデオを増加速度で生成してもよい。例えば、映画内に会話が存在しない場合、ユーザが内容を聴取する必要がないであろうため、ユーザは、ビデオ部分まで増加速度で「追い付き」得る。
本発明は、例えば、以下を提供する。
（項目１）
方法であって、
メディアアセットを同時に消費している複数のユーザのうちのユーザがメディアアセットを無視していることを検出することと、
前記ユーザがメディアアセットに関心があるかどうかを決定することと、
前記ユーザがメディアアセットに関心があることの決定に応答して、前記ユーザがメディアアセットを無視し始めた時間から始まるメディアアセットの一部を自動的に記憶することと、
前記ユーザがメディアアセットに関心がないことの決定に応答して、前記ユーザがメディアアセットを無視し始めた時間から始まるメディアアセットの一部を自動的に記憶することを止めることと
を含む、方法。
（項目２）
メディアアセットに関心があるユーザに対して、追付機構の初期化を制限することによる、リソースの効果的利用のための方法であって、
複数のユーザが、同一ユーザ機器からメディアアセットを消費していることを検出することと、
前記複数のユーザの個別のユーザ毎に、個別のユーザがメディアアセットに関心があるかどうかを決定することであって、前記個別のユーザがメディアアセットに関心があるかどうかを決定することは、
前記個別のユーザの個別のプロファイルのデータとメディアアセットのメタデータを比較することと、
前記個別のプロファイルのデータが前記メディアアセットのメタデータに合致することの決定に応答して、前記個別のユーザがメディアアセットに関心があることを決定することと、
前記個別のプロファイルのデータが前記メディアアセットのメタデータに合致しないことの決定に応答して、前記個別のユーザがメディアアセットに関心がないことを決定することと
によって行われる、ことと、
メディアアセットに関心がある各個別のユーザを含む前記複数のユーザの第１のサブセットを識別することと、
メディアアセットに関心がない各個別のユーザを含む前記複数のユーザの第２のサブセットを識別することと、
前記複数のユーザのうちのユーザがメディアアセットを無視していることを検出することと、
前記ユーザが前記第１のサブセット内で識別されるかまたは前記第２のサブセット内で識別されるかを決定することと、
前記ユーザが前記第１のサブセット内で識別されることの決定に応答して、前記ユーザがメディアアセットを無視し始めた時間から始まるメディアアセットの一部を記憶することと、
前記ユーザが前記第２のサブセット内で識別されることの決定に応答して、前記ユーザがメディアアセットを無視し始めた時間から始まる前記メディアアセットの一部を記憶することを止めることと
を含む、方法。
（項目３）
前記ユーザがメディアアセットを無視し始めた時間から始まる前記メディアアセットの一部を記憶することは、
複数のアクセス可能ユーザ機器を検出することであって、それぞれ、個別のユーザに対応する、ことと、
メディアアセットを無視しているユーザと関連付けられた前記複数のユーザ機器のうちのユーザ機器を識別することと、
前記メディアアセットの一部を前記識別されたユーザ機器に伝送することと
を含む、項目２に記載の方法。
（項目４）
前記識別されたユーザ機器がメディアアセットと関連付けられたタイプのメディアを再生可能であるかどうかを決定することと、
前記識別されたユーザ機器がメディアアセットと関連付けられた前記タイプのメディアを再生不可能であることの決定に応答して、
前記ユーザのプロファイルに基づいて、メディアアセットを記録可能な前記ユーザと関連付けられた別のユーザ機器を識別することと、
前記識別された別のユーザ機器上で、記録するためのメディアアセットをスケジューリングすることと
をさらに含む、項目３に記載の方法。
（項目５）
前記ユーザが前記第２のサブセット内にいることの決定に応答して、
複数のアクセス可能ユーザ機器を検出することと、
メディアアセットを無視している前記ユーザと関連付けられた前記複数のユーザ機器のうちのユーザ機器を識別することと、
表示のために、前記識別されたユーザ機器上に、記録するためのメディアアセットをスケジューリングするプロンプトを生成することと
をさらに含む、項目２に記載の方法。
（項目６）
前記複数のユーザのうちのユーザがメディアアセットを無視していることを検出することは、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを決定することと、
前記タイマに基づいて、前記ユーザの眼が前記メディアアセットの方向に向いていない期間が前記閾値を上回ることの決定に応答して、前記ユーザがメディアアセットを無視していることを検出することと
を含む、項目２に記載の方法。
（項目７）
前記ユーザがメディアアセットを無視し始めた時間から始まる前記メディアアセットの一部を記憶することは、
前記ユーザがもはやメディアアセットを無視していないことを検出することと、
前記ユーザが閾値期間未満の期間にわたってメディアアセットを無視しているかどうかを決定することと、
前記ユーザが前記閾値期間未満の期間にわたってメディアアセットを無視していることの決定に応答して、前記メディアアセットの記憶された部分を削除することと
を含む、項目２に記載の方法。
（項目８）
前記ユーザが前記閾値期間を上回る期間にわたってメディアアセットを無視していることの決定に応答して、前記ユーザに前記メディアアセットの一部を削除するかどうかについてプロンプトすることをさらに含む、項目７に記載の方法。
（項目９）
表示のために、前記メディアアセットの一部を消費するオプションを生成することをさらに含む、項目８に記載の方法。
（項目１０）
前記ユーザに前記メディアアセットの一部を削除するかどうかをプロンプトすることは、前記ユーザと関連付けられたモバイルユーザ機器において前記ユーザにプロンプトすることを含む、項目８に記載の方法。
（項目１１）
メディアアセットが視聴覚メディアアセットであることを決定することと、
前記メディアアセットの一部が会話を含有しないことを決定することと、
前記メディアアセットの一部が会話を含有しないことの決定に応答して、表示のために、前記メディアアセットの一部のビデオを増加速度で生成することと
をさらに含む、項目２に記載の方法。
（項目１２）
メディアアセットに関心があるユーザに対して、追付機構の初期化を制限することによる、リソースの効果的利用のためのシステムであって、前記システムは、
記憶装置と、
制御回路であって、前記制御回路は、
複数のユーザが、同一ユーザ機器からメディアアセットを消費していることを検出することと、
前記複数のユーザの個別のユーザ毎に、個別のユーザがメディアアセットに関心があるかどうかを決定することであって、前記個別のユーザがメディアアセットに関心があるかどうかを決定することは、
前記個別のユーザの個別のプロファイルのデータとメディアアセットのメタデータを比較することと、
前記個別のプロファイルのデータが前記メディアアセットのメタデータに合致することの決定に応答して、前記個別のユーザがメディアアセットに関心があることを決定することと、
前記個別のプロファイルのデータが前記メディアアセットのメタデータに合致しないことの決定に応答して、前記個別のユーザがメディアアセットに関心がないことを決定することと
によって行われる、ことと、
メディアアセットに関心がある各個別のユーザを含む前記複数のユーザの第１のサブセットを識別することと、
メディアアセットに関心がない各個別のユーザを含む前記複数のユーザの第２のサブセットを識別することと、
前記複数のユーザのうちのユーザがメディアアセットを無視していることを検出することと、
前記ユーザが前記第１のサブセット内で識別されるかまたは前記第２のサブセット内で識別されるかを決定することと、
前記ユーザが前記第１のサブセット内で識別されることの決定に応答して、前記記憶装置内に、前記ユーザがメディアアセットを無視し始めた時間から始まるメディアアセットの一部を記憶することと、
前記ユーザが前記第２のサブセット内にいることの決定に応答して、前記ユーザがメディアアセットを無視し始めた時間から始まる前記メディアアセットの一部を記憶することを止めることと
を行うように構成される、制御回路と
を備える、システム。
（項目１３）
前記制御回路はさらに、前記ユーザがメディアアセットを無視し始めた時間から始まる前記メディアアセットの一部を記憶するとき、
複数のアクセス可能ユーザ機器を検出し、それぞれ、個別のユーザに対応することと、
メディアアセットを無視しているユーザと関連付けられた前記複数のユーザ機器のうちのユーザ機器を識別することと、
前記メディアアセットの一部を前記識別されたユーザ機器に伝送することと
を行うように構成される、項目１２に記載のシステム。
（項目１４）
前記制御回路はさらに、
前記識別されたユーザ機器がメディアアセットと関連付けられたタイプのメディアを再生可能であるかどうかを決定することと、
前記識別されたユーザ機器がメディアアセットと関連付けられた前記タイプのメディアを再生不可能であることの決定に応答して、
前記ユーザのプロファイルに基づいて、メディアアセットを記録可能な前記ユーザと関連付けられた別のユーザ機器を識別することと、
前記識別された別のユーザ機器上に、記録するためのメディアアセットをスケジューリングすることと
を行うように構成される、項目１３に記載のシステム。
（項目１５）
前記制御回路はさらに、前記ユーザが前記第２のサブセット内にいることの決定に応答して、
複数のアクセス可能ユーザ機器を検出することと、
メディアアセットを無視している前記ユーザと関連付けられた前記複数のユーザ機器のうちのユーザ機器を識別することと、
表示のために、前記識別されたユーザ機器上に、記録するためのメディアアセットをスケジューリングするプロンプトを生成することと
を行うように構成される、項目１２に記載のシステム。
（項目１６）
前記制御回路はさらに、前記複数のユーザのうちのユーザがメディアアセットを無視していることを検出すると、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを決定することと、
前記タイマに基づいて、前記ユーザの眼が前記メディアアセットの方向に向いていない期間が前記閾値を上回ることの決定に応答して、前記ユーザがメディアアセットを無視していることを検出することと
を行うように構成される、項目１２に記載のシステム。
（項目１７）
前記制御回路はさらに、前記ユーザがメディアアセットを無視し始めた時間から始まる前記メディアアセットの一部を記憶するとき、
前記ユーザがもはやメディアアセットを無視していないことを検出することと、
前記ユーザが閾値期間未満の期間にわたってメディアアセットを無視しているかどうかを決定することと、
前記ユーザが前記閾値期間未満の期間にわたってメディアアセットを無視していることの決定に応答して、前記メディアアセットの記憶された部分を削除することと
を行うように構成される、項目１２に記載のシステム。
（項目１８）
前記制御回路はさらに、
前記ユーザが前記閾値期間を上回る期間にわたってメディアアセットを無視していることの決定に応答して、前記ユーザに前記メディアアセットの一部を削除するかどうかに関してプロンプトする
ように構成される、項目１７に記載のシステム。
（項目１９）
前記制御回路はさらに、
表示のために、前記メディアアセットの一部を消費するオプションを生成する
ように構成される、項目１８に記載のシステム。
（項目２０）
前記制御回路はさらに、
前記ユーザに前記メディアアセットの一部を削除するかどうかをプロンプトするとき、前記ユーザと関連付けられたモバイルユーザ機器において前記ユーザにプロンプトする
ように構成される、項目１８に記載のシステム。
（項目２１）
前記制御回路はさらに、
メディアアセットが視聴覚メディアアセットであることを決定することと、
前記メディアアセットの一部が会話を含有しないことを決定することと、
前記メディアアセットの一部が会話を含有しないことの決定に応答して、表示のために、前記メディアアセットの一部のビデオを増加速度で生成することと
を行うように構成される、項目１２に記載のシステム。
（項目２２）
メディアアセットに関心があるユーザに対して、追付機構の初期化を制限することによる、リソースの効果的利用のためのシステムであって、前記システムは、
複数のユーザが、同一ユーザ機器からメディアアセットを消費していることを検出するための手段と、
前記複数のユーザの個別のユーザ毎に、個別のユーザがメディアアセットに関心があるかどうかを決定するための手段であって、前記個別のユーザがメディアアセットに関心があるかどうかを決定することは、
前記個別のユーザの個別のプロファイルのデータとメディアアセットのメタデータを比較することと、
前記個別のプロファイルのデータが前記メディアアセットのメタデータに合致することの決定に応答して、前記個別のユーザがメディアアセットに関心があることを決定することと、
前記個別のプロファイルのデータが前記メディアアセットのメタデータに合致しないことの決定に応答して、前記個別のユーザがメディアアセットに関心がないことを決定することと
によって行われる、手段と、
メディアアセットに関心がある各個別のユーザを含む前記複数のユーザの第１のサブセットを識別するための手段と、
メディアアセットに関心がない各個別のユーザを含む前記複数のユーザの第２のサブセットを識別するための手段と、
前記複数のユーザのうちのユーザがメディアアセットを無視していることを検出するための手段と、
前記ユーザが前記第１のサブセット内で識別されるかまたは前記第２のサブセット内で識別されるかを決定するための手段と、
前記ユーザが前記第１のサブセット内で識別されることの決定に応答して、前記ユーザがメディアアセットを無視し始めた時間から始まるメディアアセットの一部を記憶するための手段と、
前記ユーザが前記第２のサブセット内で識別されることの決定に応答して、前記ユーザがメディアアセットを無視し始めた時間から始まる前記メディアアセットの一部を記憶することを止めるための手段と
を備える、システム。
（項目２３）
前記ユーザがメディアアセットを無視し始めた時間から始まる前記メディアアセットの一部を記憶するための手段は、
複数のアクセス可能ユーザ機器を検出するための手段であって、それぞれ、個別のユーザに対応する、手段と、
メディアアセットを無視しているユーザと関連付けられた前記複数のユーザ機器のうちのユーザ機器を識別するための手段と、
前記メディアアセットの一部を前記識別されたユーザ機器に伝送するための手段と
を備える、項目２２に記載のシステム。
（項目２４）
前記識別されたユーザ機器がメディアアセットと関連付けられたタイプのメディアを再生可能であるかどうかを決定するための手段と、
前記識別されたユーザ機器がメディアアセットと関連付けられた前記タイプのメディアを再生不可能であることの決定に応答して、
前記ユーザのプロファイルに基づいて、メディアアセットを記録可能な前記ユーザと関連付けられた別のユーザ機器を識別するための手段と、
前記識別された別のユーザ機器上で、記録するためのメディアアセットをスケジューリングするための手段と
をさらに備える、項目２３に記載のシステム。
（項目２５）
前記ユーザが前記第２のサブセット内にいることの決定に応答して、
複数のアクセス可能ユーザ機器を検出するための手段と、
メディアアセットを無視している前記ユーザと関連付けられた前記複数のユーザ機器のうちのユーザ機器を識別するための手段と、
表示のために、前記識別されたユーザ機器上に、記録するためのメディアアセットをスケジューリングするプロンプトを生成するための手段と
をさらに備える、項目２２に記載のシステム。
（項目２６）
前記複数のユーザのうちのユーザがメディアアセットを無視していることを検出するための手段は、
前記ユーザの眼が前記メディアアセットの方向に向いていないことを検出するための手段と、
前記ユーザの眼が前記メディアアセットの方向に向いていない期間を追跡するタイマをアクティブ化するための手段と、
前記タイマに基づいて、前記ユーザの眼が前記メディアアセットの方向に向いていない期間が閾値を上回ることを決定するための手段と、
前記タイマに基づいて、前記ユーザの眼が前記メディアアセットの方向に向いていない期間が前記閾値を上回ることの決定に応答して、前記ユーザがメディアアセットを無視していることを検出するための手段と
を備える、項目２２に記載のシステム。
（項目２７）
前記ユーザがメディアアセットを無視し始めた時間から始まる前記メディアアセットの一部を記憶するための手段は、
前記ユーザがもはやメディアアセットを無視していないことを検出するための手段と、
前記ユーザが閾値期間未満の期間にわたってメディアアセットを無視しているかどうかを決定するための手段と、
前記ユーザが前記閾値期間未満の期間にわたってメディアアセットを無視していることの決定に応答して、前記メディアアセットの記憶された部分を削除するための手段と
を備える、項目２２に記載のシステム。
（項目２８）
前記ユーザが前記閾値期間を上回る期間にわたってメディアアセットを無視していることの決定に応答して、前記ユーザに前記メディアアセットの一部を削除するかどうかについてプロンプトするための手段をさらに備える、項目２７に記載のシステム。
（項目２９）
表示のために、前記メディアアセットの一部を消費するオプションを生成するための手段をさらに備える、項目２８に記載のシステム。
（項目３０）
前記ユーザに前記メディアアセットの一部を削除するかどうかをプロンプトするための手段は、前記ユーザと関連付けられたモバイルユーザ機器において前記ユーザにプロンプトするための手段を備える、項目２８に記載のシステム。
（項目３１）
メディアアセットが視聴覚メディアアセットであることを決定するための手段と、
前記メディアアセットの一部が会話を含有しないことを決定するための手段と、
前記メディアアセットの一部が会話を含有しないことの決定に応答して、表示のために、前記メディアアセットの一部のビデオを増加速度で生成するための手段と
をさらに備える、項目２２に記載のシステム。
（項目３２）
メモリを備える非一過性コンピュータ可読媒体であって、前記メモリは、メディアアセットに関心があるユーザに対して、追付機構の初期化を制限することによる、リソースの効果的利用を提供するための前記メモリ上にエンコードされた命令を有し、前記命令は、
複数のユーザが、同一ユーザ機器からメディアアセットを消費していることを検出するための命令と、
前記複数のユーザの個別のユーザ毎に、個別のユーザがメディアアセットに関心があるかどうかを決定するための命令であって、前記個別のユーザがメディアアセットに関心があるかどうかを決定することは、
前記個別のユーザの個別のプロファイルのデータとメディアアセットのメタデータを比較することと、
前記個別のプロファイルのデータが前記メディアアセットのメタデータに合致することの決定に応答して、前記個別のユーザがメディアアセットに関心があることを決定することと、
前記個別のプロファイルのデータが前記メディアアセットのメタデータに合致しないことの決定に応答して、前記個別のユーザがメディアアセットに関心がないことを決定することと
によって行われる、命令と、
メディアアセットに関心がある各個別のユーザを含む前記複数のユーザの第１のサブセットを識別するための命令と、
メディアアセットに関心がない各個別のユーザを含む前記複数のユーザの第２のサブセットを識別するための命令と、
前記複数のユーザのうちのユーザがメディアアセットを無視していることを検出するための命令と、
前記ユーザが前記第１のサブセット内で識別されるかまたは前記第２のサブセット内で識別されるかを決定するための命令と、
前記ユーザが前記第１のサブセット内で識別されることの決定に応答して、前記ユーザがメディアアセットを無視し始めた時間から始まるメディアアセットの一部を記憶するための命令と、
前記ユーザが前記第２のサブセット内で識別されることの決定に応答して、前記ユーザがメディアアセットを無視し始めた時間から始まる前記メディアアセットの一部を記憶することを止めるための命令と
を備える、非一過性コンピュータ可読媒体。
（項目３３）
前記ユーザがメディアアセットを無視し始めた時間から始まる前記メディアアセットの一部を記憶するための命令は、
複数のアクセス可能ユーザ機器を検出するための命令であって、それぞれ、個別のユーザに対応する、命令と、
メディアアセットを無視しているユーザと関連付けられた前記複数のユーザ機器のうちのユーザ機器を識別するための命令と、
前記メディアアセットの一部を前記識別されたユーザ機器に伝送するための命令と
を備える、項目３２に記載の非一過性コンピュータ可読媒体。
（項目３４）
前記命令はさらに、
前記識別されたユーザ機器がメディアアセットと関連付けられたタイプのメディアを再生可能であるかどうかを決定するための命令と、
前記識別されたユーザ機器がメディアアセットと関連付けられた前記タイプのメディアを再生不可能であることの決定に応答して、
前記ユーザのプロファイルに基づいて、メディアアセットを記録可能な前記ユーザと関連付けられた別のユーザ機器を識別することと、
前記識別された別のユーザ機器上で、記録するためのメディアアセットをスケジューリングすることと
を行うための命令と
を備える、項目３３に記載の非一過性コンピュータ可読媒体。
（項目３５）
前記命令はさらに、前記ユーザが前記第２のサブセット内にいることの決定に応答して、
複数のアクセス可能ユーザ機器を検出することと、
メディアアセットを無視している前記ユーザと関連付けられた前記複数のユーザ機器のうちのユーザ機器を識別することと、
表示のために、前記識別されたユーザ機器上に記録するためのメディアアセットをスケジューリングするプロンプトを生成することと
を行うための命令を備える、項目３２に記載の非一過性コンピュータ可読媒体。
（項目３６）
前記複数のユーザのうちのユーザがメディアアセットを無視していることを検出するための命令は、
前記ユーザの眼が前記メディアアセットの方向に向いていないことを検出するための命令と、
前記ユーザの眼が前記メディアアセットの方向に向いていない期間を追跡するタイマをアクティブ化するための命令と、
前記タイマに基づいて、前記ユーザの眼が前記メディアアセットの方向に向いていない期間が閾値を上回ることを決定するための命令と、
前記タイマに基づいて、前記ユーザの眼が前記メディアアセットの方向に向いていない期間が前記閾値を上回ることの決定に応答して、前記ユーザがメディアアセットを無視していることを検出するための命令と
を備える、項目３２に記載の非一過性コンピュータ可読媒体。
（項目３７）
前記ユーザがメディアアセットを無視し始めた時間から始まる前記メディアアセットの一部を記憶するための命令は、
前記ユーザがもはやメディアアセットを無視していないことを検出するための命令と、
前記ユーザが閾値期間未満の期間にわたってメディアアセットを無視しているかどうかを決定するための命令と、
前記ユーザが前記閾値期間未満の期間にわたってメディアアセットを無視していることの決定に応答して、前記メディアアセットの記憶された部分を削除するための命令と
を備える、項目３２に記載の非一過性コンピュータ可読媒体。
（項目３８）
前記命令はさらに、
前記ユーザが前記閾値期間を上回る期間にわたってメディアアセットを無視していることの決定に応答して、前記ユーザに前記メディアアセットの一部を削除するかどうかについてプロンプトするための命令
を備える、項目３７に記載の非一過性コンピュータ可読媒体。
（項目３９）
前記命令はさらに、
表示のために、前記メディアアセットの一部を消費するオプションを生成するための命令
を備える、項目３８に記載の非一過性コンピュータ可読媒体。
（項目４０）
前記ユーザに前記メディアアセットの一部を削除するかどうかをプロンプトするための命令は、
前記ユーザと関連付けられたモバイルユーザ機器において前記ユーザにプロンプトするための命令
を備える、項目３８に記載の非一過性コンピュータ可読媒体。
（項目４１）
前記命令はさらに、
メディアアセットが視聴覚メディアアセットであることを決定するための命令と、
前記メディアアセットの一部が会話を含有しないことを決定するための命令と、
前記メディアアセットの一部が会話を含有しないことの決定に応答して、表示のために、前記メディアアセットの一部のビデオを増加速度で生成するための命令と
を備える、項目３２に記載の非一過性コンピュータ可読媒体。
（項目４２）
メディアアセットに関心があるユーザに対して、追付機構の初期化を制限することによる、リソースの効果的利用のための方法であって、前記方法は、
複数のユーザが、同一ユーザ機器からメディアアセットを消費していることを検出することと、
前記複数のユーザの個別のユーザ毎に、個別のユーザがメディアアセットに関心があるかどうかを決定することと、
メディアアセットに関心がある各個別のユーザを含む前記複数のユーザの第１のサブセットを識別することと、
メディアアセットに関心がない各個別のユーザを含む前記複数のユーザの第２のサブセットを識別することと、
前記複数のユーザのうちのユーザがメディアアセットを無視していることを検出することと、
前記ユーザが前記第１のサブセット内で識別されるかまたは前記第２のサブセット内で識別されるかを決定することと、
前記ユーザが前記第１のサブセット内で識別されることの決定に応答して、前記ユーザがメディアアセットを無視し始めた時間から始まるメディアアセットの一部を記憶することと、
前記ユーザが前記第２のサブセット内で識別されることの決定に応答して、前記ユーザがメディアアセットを無視し始めた時間から始まる前記メディアアセットの一部を記憶することを止めることと
を含む、方法。
（項目４３）
前記ユーザがメディアアセットを無視し始めた時間から始まる前記メディアアセットの一部を記憶することは、
複数のアクセス可能ユーザ機器を検出することであって、それぞれ、個別のユーザに対応する、ことと、
メディアアセットを無視しているユーザと関連付けられた前記複数のユーザ機器のうちのユーザ機器を識別することと、
前記メディアアセットの一部を前記識別されたユーザ機器に伝送することと
を含む、項目４２に記載の方法。
（項目４４）
前記識別されたユーザ機器がメディアアセットと関連付けられたタイプのメディアを再生可能であるかどうかを決定することと、
前記識別されたユーザ機器がメディアアセットと関連付けられた前記タイプのメディアを再生不可能であることの決定に応答して、
前記ユーザのプロファイルに基づいて、メディアアセットを記録可能な前記ユーザと関連付けられた別のユーザ機器を識別することと、
前記識別された別のユーザ機器上で、記録するためのメディアアセットをスケジューリングすることと
をさらに含む、項目４３に記載の方法。
（項目４５）
前記ユーザが前記第２のサブセット内にいることの決定に応答して、
複数のアクセス可能ユーザ機器を検出することと、
メディアアセットを無視している前記ユーザと関連付けられた前記複数のユーザ機器のうちのユーザ機器を識別することと、
表示のために、前記識別されたユーザ機器上に、記録するためのメディアアセットをスケジューリングするプロンプトを生成することと
をさらに含む、項目４２−４４のいずれか１項に記載の方法。
（項目４６）
前記複数のユーザのうちのユーザがメディアアセットを無視していることを検出することは、
前記ユーザの眼が前記メディアアセットの方向に向いていないことを検出することと、
前記ユーザの眼が前記メディアアセットの方向に向いていない期間を追跡するタイマをアクティブ化することと、
前記タイマに基づいて、前記ユーザの眼が前記メディアアセットの方向に向いていない期間が閾値を上回ることを決定することと、
前記タイマに基づいて、前記ユーザの眼が前記メディアアセットの方向に向いていない期間が前記閾値を上回ることの決定に応答して、前記ユーザがメディアアセットを無視していることを検出することと
を含む、項目４２−４５のいずれか１項に記載の方法。
（項目４７）
前記ユーザがメディアアセットを無視し始めた時間から始まる前記メディアアセットの一部を記憶することは、
前記ユーザがもはやメディアアセットを無視していないことを検出することと、
前記ユーザが閾値期間未満の期間にわたってメディアアセットを無視しているかどうかを決定することと、
前記ユーザが前記閾値期間未満の期間にわたってメディアアセットを無視していることの決定に応答して、前記メディアアセットの記憶された部分を削除することと
を含む、項目４２−４６のいずれか１項に記載の方法。
（項目４８）
前記ユーザが前記閾値期間を上回る期間にわたってメディアアセットを無視していることの決定に応答して、前記ユーザに前記メディアアセットの一部を削除するかどうかについてプロンプトすることをさらに含む、項目４７に記載の方法。
（項目４９）
前記複数のユーザの個別のユーザ毎に、個別のユーザがメディアアセットに関心があるかどうかを決定することは、
前記個別のユーザの個別のプロファイルのデータとメディアアセットのメタデータを比較することと、
前記個別のプロファイルのデータが前記メディアアセットのメタデータに合致することの決定に応答して、前記個別のユーザがメディアアセットに関心があることを決定することと、
前記個別のプロファイルのデータが前記メディアアセットのメタデータに合致しないことの決定に応答して、前記個別のユーザがメディアアセットに関心がないことを決定することと
を含む、項目４８に記載の方法。
（項目５０）
前記ユーザに前記メディアアセットの一部を削除するかどうかをプロンプトすることは、前記ユーザと関連付けられたモバイルユーザ機器において前記ユーザにプロンプトすることを含む、項目４８または４９に記載の方法。
（項目５１）
メディアアセットが視聴覚メディアアセットであることを決定することと、
前記メディアアセットの一部が会話を含有しないことを決定することと、
前記メディアアセットの一部が会話を含有しないことの決定に応答して、表示のために、前記メディアアセットの一部のビデオを増加速度で生成することと
をさらに含む、項目４２−５０のいずれか１項に記載の方法。